(57)【要約】【課題】遊技機用基板ボックスを確実に封印して遊技内容を変更する不正行為を防止し、一方、かかる不正行為が行われた場合には、その不正行為を早期に発見することができる遊技機用基板ボックス封印具を提供すること。【解決手段】ボックス本体４１およびボックス蓋体４２にユニット部材２０，３０を取り付け、ボックス本体４１にボックス蓋体４２を被せ、封印金具１１を挿入穴２１ｂ内に押し込むと、係止爪１１ｃが保持部Ｈに保持されるとともに、頭部１１ｂが係合穴３１ａに保持されて、封印金具１１が封印部材３１内に保持される。その封印金具１１を更に押し込むと、係止爪１１ｃが係止孔２１ｃ内に係止され、封印金具１１が封印部材２１内にて抜き取り不可能な状態で保持される。一方、頭部１１ｂが係合穴３１ａ内に係合され、その結果、ボックス本体４１とボックス蓋体４２とが開封不可能に連結され、基板ボックス４０が封印される。【選択図】図５
2006075629.tif 000002
【特許請求の範囲】
【請求項１】
ボックスベースとボックスカバーとを備えた遊技機用基板ボックス内に回路基板を被包して封印するための遊技機用基板ボックス封印具において、
前記ボックスベースまたはボックスカバーの一方に配設される第１封印部材と、
前記ボックスベースまたはボックスカバーの他方に配設される第２封印部材と、
前記第１封印部材に設けられるストッパ部材と、
そのストッパ部材に係止される係止部及び前記第２封印部材に係合される係合部を有する連結封印部材とを備え、
その連結封印部材の係合部を前記第２封印部材に係合させるとともに、前記第１封印部材内に設けられたストッパ部材によって前記連結封印部材の係止部を係止して、前記第１封印部材および第２封印部材を連結し前記遊技機用基板ボックスを封印するものであり、
前記第１封印部材または第２封印部材の少なくとも一方には、前記第１封印部材および第２封印部材が非連結状態の場合に、前記連結封印部材を保持するための保持部を備えていることを特徴とする遊技機用基板ボックス封印具。
【発明の詳細な説明】
【技術分野】
【０００１】
本発明は遊技機等の制御回路基板を収納する遊技機用基板ボックスの封印具である遊技機用基板ボックス封印具に関するものである。
【背景技術】
【０００２】
近年、パチンコ機およびスロットマシーン等の遊技機は、遊技盤に設けられる入賞装置および表示装置等を制御して遊技の興趣を盛り上げるものが主流となっている。この入賞装置および表示装置の制御はＩＣ，ＬＳＩ等の多数の電子部品を配設したロジック制御回路基板またはマイクロコンピュータを有する制御回路基板等により行われる。これらの制御回路基板は、遊技盤の裏面に配設される入賞球集合カバーまたは機構板に取り付けられる遊技機用基板ボックス内に収納されて遊技機に付設されている。この遊技機用基板ボックスは制御回路基板を被包して収納するためのボックスベースとボックスカバーとを備えている。
【０００３】
ところで、かかる遊技用基板ボックス内に収納された制御回路基板から遊技内容に関する制御情報が記憶されたＲＯＭを取り外し交換して、遊技機の遊技内容を変更する不正行為が近年問題になっている。このような不正行為の防止対策として、遊技機用基板ボックス内からＲＯＭを取り外すことができないように遊技機用基板ボックスのボックスベースとボックスカバーとを封印ねじ等の特殊ねじを用いて接合し、遊技機用基板ボックスを封印する方法が用いられている。
【０００４】
例えば、この封印ねじは、スクリュードライバ等のねじ回し工具が締め付け方向（ねじ込み方向）にのみ係合される十字溝をねじ頭部に形成したものであり、ねじを緩める方向にねじ回し工具を回転させると、ねじ回し工具が空回りすることにより外すことができない特殊ねじである。よって、この封印ねじを用いて遊技機用基板ボックスのボックスベースおよびボックスカバーを接合した場合、遊技機用基板ボックスを容易に開封することができないので、遊技機用基板ボックス内の制御回路基板から遊技内容に関する制御情報の記憶されたＲＯＭを取り外して交換するという不正行為が防止される。
【発明の開示】
【発明が解決しようとする課題】
【０００５】
しかしながら、かかる封印ねじは、そのねじ頭部に形成された十字溝にスクリュードライバ等のねじ回し工具を強く押しつけて、当該封印ねじの緩み方向（反ねじ込み方向）に回転させることにより、取り外すことが可能な場合がある。また、かかる封印ねじをねじ込み方向に強くねじ込むと、遊技機用基板ボックスに穿設されたねじ穴のねじ山が破壊され、封印ねじが取り外し可能となる。よって、上記封印ねじを用いた方式では、遊技機用基板ボックス内に制御回路基板を確実に封印することができないという問題点があった。このため、遊技機用基板ボックス内に収納された制御回路基板からＲＯＭを取り外して交換し遊技内容を変更する不正行為を防止することができないという問題点があった。
【０００６】
また、遊技機用基板ボックスを開封して、上述したＲＯＭを交換した後、ねじ穴に接着剤等を注入し、かかる封印ねじを用いてボックスベースおよびボックスカバーを再度接合すると、ＲＯＭを交換した痕跡を残すことなく不正行為を行うことができる。よって、上記封印ねじを用いた方式では、かかる不正行為を早期に発見することもできないという問題点があった。
【０００７】
本発明は上述した問題点を解決するためになされたものであり、遊技機用基板ボックスを確実に封印して遊技内容を変更する不正行為を防止し、一方、かかる不正行為が行われた場合には、その不正行為を早期に発見することができる遊技機用基板ボックス封印具を提供することを目的としている。
【課題を解決するための手段】
【０００８】
この目的を達成するために請求項１記載の遊技機用基板ボックス封印具は、ボックスベースとボックスカバーとを備えた遊技機用基板ボックス内に回路基板を被包して封印するため、前記ボックスベースまたはボックスカバーの一方に配設される第１封印部材と、前記ボックスベースまたはボックスカバーの他方に配設される第２封印部材と、前記第１封印部材に設けられるストッパ部材と、そのストッパ部材に係止される係止部及び前記第２封印部材に係合される係合部を有する連結封印部材とを備え、その連結封印部材の係合部を前記第２封印部材に係合させるとともに、前記第１封印部材内に設けられたストッパ部材によって前記連結封印部材の係止部を係止して、前記第１封印部材および第２封印部材を連結し前記遊技機用基板ボックスを封印するものであり、前記第１封印部材または第２封印部材の少なくとも一方には、前記第１封印部材および第２封印部材が非連結状態の場合に、前記連結封印部材を保持するための保持部を備えていることを特徴とする遊技機用基板ボックス封印具。
請求項１記載の遊技機用基板ボックス封印具によれば、回路基板をボックスベースまたはボックスカバー内に収納し、ボックスベースまたはボックスカバーの一方に配設された第１封印部材と、ボックスベースまたはボックスカバーの他方に配設された第２封印部材とを合致させることにより、回路基板が遊技機用基板ボックス内に被包される。第１封印部材または第２封印部材の少なくとも一方に設けられた保持部には、連結封印部材が保持されているので、回路基板を被包した後、この連結封印部材の係合部を第２封印部材に係合させるとともに、その係止部を第１封印部材内のストッパ部材に係止することにより、第１封印部材および第２封印部材が連結され、遊技機用基板ボックス内に被包された回路基板が確実に封印される。
【発明の効果】
【０００９】
本発明の遊技機用基板ボックス封印具によれば、第１封印部材および第２封印部材が非連結状態の場合、連結封印部材は第１封印部材または第２封印部材の少なくとも一方に設けられた保持部により保持されるので、連結封印部材の紛失を確実に防止することができるという効果がある。
また、その連結封印部材の係合部を第２封印部材に係合させるとともに、連結封印部材の係止部を第１封印部材内のストッパ部材に係止して、第１封印部材および第２封印部材を連結することができるので、遊技機用基板ボックス内に回路基板を確実に封印することができる。従って、遊技機用基板ボックスは、遊技機用基板ボックス封印具を切断等により除去しなければ開放できないので、遊技内容に関する制御情報が記憶されたＲＯＭを制御回路基板からを取り外して交換し、遊技内容を変更する不正行為を防止することができるという効果がある。
更に、遊技機用基板ボックスが開封された場合には、その開封の痕跡を確実に残こすことができるので、かかる不正行為を早期に発見することができるという効果がある。
【発明を実施するための最良の形態】
【００１０】
以下、本発明の好ましい実施例について、添付図面を参照して説明する。図１は、本発明の遊技機用基板ボックス封印具の一実施例である封印ユニット１を有する基板ボックス４０の配設されたパチンコ機５０の裏面図である。図２は、封印ユニット１の配設された基板ボックス４０が開封された状態を示す斜視図であり、図３は、封印ユニット１を構成する各部材の分解斜視図であり、図４は、封印部材２１，３１により形成された保持部Ｈに封印金具１１が保持されている状態を示した封印ユニット１の部分断面図であり、図５は、基板ボックス４０を封印した状態における封印ユニット１の部分断面図であり、図６は、基板ボックス４０の分解斜視図であり、図７は、基板ボックス４０に貼付する基板管理番号シール６１の平面図である。
【００１１】
図１および図２を参照して、封印ユニット１が配設される基板ボックス４０について説明する。まず、図１に示すように、基板ボックス４０は、例えば遊技機の一種であるパチンコ機５０の裏側に設けられた入賞球集合カバー５１に取り付けられている。基板ボックス４０は、パチンコ機５０の遊技内容に関する制御情報を記憶した制御用ＲＯＭ等の電子部品により構成された制御回路基板（図示せず）を被包するためのものであり、ボックス本体４１と、そのボックス本体４１に覆設されるボックス蓋体４２とを備えている（図２参照）。
【００１２】
図２に示すように、ボックス本体４１は、金属材料から構成され中空状の箱状体に形成されており、その上方はボックス本体４１内に制御回路基板を配設するために開放されている。また、ボックス本体４１の側壁４１ａには、後述する封印ユニット１のユニット部材２０が取り付けられている。更に、ボックス本体４１の内側壁には薄板状のガイド板４３が設けられており、ボックス本体４１にボックス蓋体４２を被せる場合、ボックス蓋体４２の位置ズレを防止して、容易に被せることができる。
【００１３】
ボックス蓋体４２は、ボックス本体４１と同様に、金属製の中空箱状体に形成されており、その側壁４２ａには後述する封印ユニット１のユニット部材３０が取り付けられている。ボックス蓋体４２の上部壁面には、透明な合成樹脂から構成された覗き窓４２ｄが設けられており、基板ボックス４０内の制御回路基板上に設けられた制御用ＲＯＭの型番号を容易に確認することができる。このため、制御用ＲＯＭを交換してパチンコ機５０の遊技内容を変更する不正行為が行われた場合、これを容易に発見することができる。
【００１４】
また、ボックス蓋体４２の上面には、基板ボックス４０内に配設された制御回路基板を管理するための基板管理番号シール６１が貼付される。図７に示すように、未使用の基板管理番号シール６１は、台紙６２に計４枚貼付されている。この基板管理番号シール６１をボックス蓋体４２に貼付する場合には、台紙６２から基板管理番号シール６１を１枚ずつ剥がして貼り付ければ良い。この基板番号管理シール６１は、特殊シールで構成されており、その表面には、基板管理番号６１ａと、製造業者コード６１ｂと、枠部６１ｃと、検査履歴６１ｄとが表示されている。基板管理番号６１ａは、基板ボックス４０に被包される制御回路基板のシリアル番号である。また、制御回路基板の製造業者は、枠部６１ｃの色彩と製造業者コード６１ｂとにより特定される。更に、この基板管理番号シール６１は、制御回路基板の検査履歴書でもあり、検査履歴６１ｄには、検査毎に「１」から「３」の欄に検査年月日、検査者名および検査印等が記録される。
【００１５】
尚、基板管理番号シール６１を構成する特殊シールは、剥がされると破損してしまう性質を有するものであるので、基板管理番号シール６１が不正に剥がされた場合には、かかる不正行為を容易に発見することができる。
【００１６】
次に、図３および図４を参照して、封印ユニット１を構成する各部材について説明する。図３に示すように、封印ユニット１は、基板ボックス４０を封印するための封印金具１１と、その封印金具１１が係止されるユニット部材２０と、そのユニット部材２０に対向してボックス蓋体４２に配設され封印金具１１が係合されるユニット部材３０とを備えている。
【００１７】
尚、図１に示すように、封印ユニット１は基板ボックス４０の２箇所にそれぞれ配設されている。
【００１８】
図３に示すように、封印金具１１は、ユニット部材２０，３０における各封印部材２１，３１を連結するためのものであり、ステンレス鋼材等の金属材料で構成されており、正面視略Ｔ字形の略板状体に形成されている。この封印金具１１は、封印部材２１に挿設される板部１１ａと、その板部１１ａに一体形成されるとともに後述する封印部材３１に係合される頭部１１ｂとを備えている。
【００１９】
図４に示すように、板部１１ａの左側面の略中央部分には、略く字形に形成された係止爪１１ｃが設けられている。この係止爪１１ｃは、板部１１ａの左側面から上方向へと傾斜しつつ延出された傾斜部分Ｔを有している。また、係止爪１１ｃの先端部分は板部１１ａと平行となるように折り曲げられている。この係止爪１１ｃは、封印金具１１の板部１１ａが封印部材３１の挿入穴３１ｂへ挿入され押し込まれた場合、傾斜部分Ｔを介して板部１１ａ側へと徐々に弾性変形するとともに、封印金具１１の先端部が封印部材２１の挿入穴２１ｂ内へ挿入される。封印金具１１を更に挿し込み続けると、係止爪１１ｃは、弾性的に復元して封印部材３１の嵌合穴３１ｃ内に係止され、封印部材２１の嵌合部２１ａと封印部材３１の嵌合穴３１ｃとにより形成された保持部Ｈに収納される（図４参照）。一方、封印金具１１の頭部１１ｂは、封印部材３１の係合穴３１ａの側壁面に当接するとともに、係合穴３１ａ内に保持されている。その結果、封印金具１１を封印部材３１内に取り外し不可能な状態で保持することができる。
【００２０】
更に、保持部Ｈに係止爪１１ｃが保持された封印金具１１を押し込むと、係止爪１１ｃは、板部１１ａ側へ徐々に弾性変形し、封印部材２１の挿入穴２１ｂ内へ挿入され、その後、弾性的に復元して封印部材２１の係止孔２１ｃ内に係止される。よって、封印部材２１，３１は封印金具１１により取り外し不可能な状態で連結される（図５参照）。
【００２１】
板部１１ａの先端には、略半球状の凸部１１ｄが設けられている。その結果、封印金具１１の先端部分の曲げ剛性が強化されるとともに、封印金具１１の先端部が凸部１１ｄにより案内され、封印金具１１の板部１１ａの先端部分を後述する封印部材２１，３１の挿入穴２１ｂ，３１ｂに容易に挿入することができる。また、封印金具１１の頭部１１ｂは、封印部材３１の係合穴３１ａの側壁面に当接するとともに、係合穴３１ａ内に保持されている。その結果、封印金具１１を封印部材３１内に取り外し不可能な状態で保持することができる。
【００２２】
図３に示すように、封印金具１１の上端部には、その剛性を強化するために頭部１１ｂが形成されている。この頭部１１ｂは、中空状の略円柱体に形成されており、封印金具１１を封印部材２１，３１の挿入穴２１ｂ，３１ｂに挿入する場合、かかる頭部１１ｂを押下することにより容易に封印金具１１を挿入することができる。図５に示すように、頭部１１ｂの外径は、封印部材３１の係合穴３１ａの幅と比較して略等しく形成されており、係合穴３１ａに係合可能となっている。よって、封印金具１１の係止爪１１ｃが係止孔２１ｃ内に係止され、その頭部１１ｂが封印部材３１の係合穴３１ａに係合された場合、封印部材２１，３１は封印金具１１により取り外し不可能な状態で連結される。その結果、基板ボックス４０は開封不可能な状態にて封印される。
【００２３】
ユニット部材２０は、基板ボックス４０のボックス本体４１に配設され基板ボックス４０を封印するためのものであり、ポリカーボネート樹脂等の耐衝撃性を有する合成樹脂材料で形成されている。このユニット部材２０は、封印金具１１が挿設される複数の封印部材２１と、ユニット部材２０をボックス本体４１に取り付けるための取付部材２２と、各封印部材２１と取付部材２２とを互いに連結するための連結部材２３と、各封印部材２１のそれぞれを互いに連結する複数の連結部材２４とを備えている。尚、各封印部材２１はそれぞれ略同一に構成されているので、以下、同一の部分には同一の番号を付してその説明は省略する。
【００２４】
図４に示すように、封印部材２１は略円柱状に形成されており、その一部には連結部材２３が固着され取付部材２２に連結されている。この封印部材２１は、略等間隔で取付部材２２に計４個連結されており、各封印部材２１の上端部分には、嵌合部２１ａが設けられている。嵌合部２１ａは、略円柱状に形成されており、その上側部分の外径は下側部分の外径と比較して小さくなるようにテーパが施されている。よって、嵌合部２１ａを後述する封印部材３１の嵌合穴３１ｃに容易に挿入して嵌合させることができる。嵌合部２１ａの上面には、長穴状の挿入穴２１ｂが凹設されており、封印金具１１の板部１１ａが挿入可能に形成されている。この挿入穴２１ｂの開口部分には面取り部Ｃが形成されており、この面取り部Ｃにより封印金具１１の板部１１ａおよび係止爪１１ｃが容易に挿入される。
【００２５】
嵌合部２１ａの側壁面には、略矩形状の係止孔２１ｃが設けられており（図３参照）、この係止孔２１ｃは挿入穴２１ｂと連通している（図４参照）。よって、挿入穴２１ｂから封印金具１１を挿入すると、封印金具１１の係止爪１１ｃが封印部材２１の係止孔２１ｃにより係止され、封印金具１１の抜き取り行為が防止される。また、嵌合部２１ａの外周には、嵌合溝２１ｄが凹設されており、封印部材３１のスカート部３１ｄが嵌合可能となっている。この嵌合溝２１ｄの開口部分の断面積は底部分の断面積と比較して大きくなるようにテーパが施されており、スカート部３１ｄを容易に嵌合させることができる。また、嵌合溝２１ｄにスカート部３１ｄを嵌合させることにより、封印部材２１，３１の位置ズレが防止され、封印部材２１と封印部材３１とを確実に合致させることができる。
【００２６】
取付部材２２は、封印ユニット１のユニット部材２０をボックス本体４１に取り付けるためのものであり、対向して配設された一対の板状体２２ａ，２２ｂと、その一対の板状体２２ａ，２２ｂを互いに連結する複数の連結部材２２ｃと、板状体２２ｂに配設された補強部材２２ｄとを備えている。各板状体２２ａ，２２ｂは複数の連結部材２２ｃにより連結されており、この複数の連結部材２２ｃは計４箇所に配設されている。この各連結部材２２ｃは、板状体２２ａの長手方向に略等間隔で配設された後述する複数の連結部材２３に対応して配設されている。
【００２７】
よって、取付部材２２のうち、連結部材２３が固着されている部分の厚みは大きく形成され、その強度は強化されている。従って、連結部材２３を切断して封印部材２１を除去する場合、取付部材２２の板状体２２ａ，２２ｂに損傷を与えることなく連結部材２３を切断することができる。また、取付部材２２における一対の板状体２２ａ，２２ｂの間には所定幅の間隙Ｗ１が形成されており、この一対の板状体２２ａ，２２ｂの間に形成された間隙Ｗ１は、ボックス本体４１の側壁４１ａの板厚より大きく形成されている。
【００２８】
図６に示すように、ボックス本体４１の側壁４１ａには、取付部材２２の各連結部材２２ｃに対応した略矩形状の係合溝４１ｂが略等間隔で計４箇所に形成されている。この各係合溝４１ｂには、各連結部材２２ｃをそれぞれ係合させることができる。かかる係合により、ボックス本体４１の側壁４１ａはユニット部材２０の取付部材２２における板状体２２ａ，２２ｂの間に挟み込まれ、図２に示すように、ユニット部材２０がボックス本体４１に取り付けられる。その結果、板状体２２ａ，２２ｂの間に挟み込まれた側壁４１ａ部分の剛性を向上させることができるとともに、ボックス本体４１の側壁４１ａに取り付けられたユニット部材２０を外れ難くすることができる。
【００２９】
また、取付部材２２の長手方向の両端部分には一対の取付孔２２ｅが板状体２２ａ，２２ｂのそれぞれを貫通して穿設ている（図３および図４参照）。ボックス本体４１の側壁４１ａには、この取付部材２２の一対の取付孔２２ｅに対応して、一対の係合穴４１ｃが穿設されている（図６参照）。よって、ユニット部材２０の板状体２２ａ，２２ｂの間にボックス本体４１の側壁４１ａを挟み込みつつ、ユニット部材２０の取付部材２２をボックス本体４１の側壁４１ａに「かしめ」またはネジ止めにより固定することができる（図２および図３参照）。
【００３０】
図４に示すように、取付部材２２の板状体２２ｂには、略矩形状の係止穴２２ｆが穿設されている。この係止穴２２ｆには、ボックス本体４１の側壁４１ａ内側面に突設された係止爪４１ｅが係止されており、ユニット部材２０をボックス本体４１の側壁４１ａに「仮止め」することができる。よって、ユニット部材２０はボックス本体４１に「仮止め」されているので、「かしめ」またはネジ止めによるユニット部材２０の固定作業を容易に行うことができる。
【００３１】
補強部材２２ｄは、封印ユニット１が配設された基板ボックス４０の強度を補強するためのものであり、取付部材２２の板状体２２ｂにおける上部側面に一体に形成されている（図４中右側）。この補強部材２２ｄは、後述するユニット部材３０に形成された嵌合穴３２ｄに嵌合可能な板状体で構成されており（図３参照）、かかる嵌合穴３２ｄに嵌合することにより、ユニット部材２０，３０を互いに位置決めしつつ、封印ユニット１の配設された基板ボックス４０の強度を補強することができる。
【００３２】
図３に示すように、連結部材２３は、各封印部材２１と取付部材２２とをそれぞれ連結するためのものである。この連結部材２３は、取付部材２２の板状体２２ａの一側面に略等間隔で計４個配設されており、各連結部材２３には封印部材２１がそれぞれ固着されている。よって、計４個の各封印部材２１が略等間隔で隣接して取付部材２２と連結され、ユニット部材２０が一体に形成されている。また、これらの隣接する各封印部材２１は、連結部材２４により互いに連結されて、一体に形成されている。また、封印部材２１および取付部材２２は連結部材２３により連結されるので、封印部材２１と取付部材２２との間には、ニッパ等の工具の刃先が入り込むための間隔が形成される。よって、封印部材２１を切断して除去する場合、ニッパ等の工具を用いて連結部材２３を容易に切断することができる。
【００３３】
連結部材２４は、隣り合う各封印部材２１を連結して、ユニット部材２０の強度を補強するためのものであり、略薄板状に形成されている。各連結部材２４は、各封印部材２１の外周面のうち連結部材２３の固着側の反対部分に固着されており、各封印部材２１のそれぞれを互いに連結してユニット部材２０の強度を補強している。この各連結部材２４の右端部分には、切り欠き２４ａが設けられており、かかる部分の剛性を低下させてある。よって、ニッパ等の工具を用いて連結部材２４を切断する場合、切り欠き２４ａが設けられた部分を切断することにより、容易に連結部材２４を切断することができる。また、切り欠き２４ａは、連結部材２４のうち、先に使用される封印部材２１側の端部分に設けられているので、連結部材２４を切断する場合、未使用の封印部材２１の損傷を防止することができる。
【００３４】
ユニット部材３０は、封印金具１１とユニット部材２０とを介して、基板ボックス４０を封印するためのものである。ユニット部材３０は、ポリカーボネート樹脂等の耐衝撃性を有する合成樹脂材料で形成されており、基板ボックス４０のボックス蓋体４２の側壁４２ａに取り付けられている。このユニット部材３０は、封印金具１１が係合される封印部材３１と、ユニット部材３０をボックス蓋体４２に取り付けるための取付部材３２と、各封印部材３１と取付部材３２とを互いに連結するための連結部材３３と、各封印部材３１のそれぞれを互いに連結する複数の連結部材３４とを備えている。尚、各封印部材３１はそれぞれ略同一に構成されているので、以下、同一の部分には同一の番号を付してその説明は省略する。
【００３５】
図３に示すように、封印部材３１は、略円柱状に形成されており、その一部には連結部材３３が固着され取付部材３２に連結されている。この封印部材３１は、略等間隔で取付部材３２に計４個連結されており、各封印部材３１はユニット部材２０の各封印部材２１のそれぞれと対向する位置に取付部材３２と一体に形成されている（図２参照）。また、各封印部材３１は、封印金具１１の頭部１１ｂと係合される係合穴３１ａと、その係合穴３１ａに連通して穿設された挿入穴３１ｂと、その挿入穴３１ｂに連通して穿設された嵌合穴３１ｃと、その嵌合穴３１ｃの下方に設けられたスカート部３１ｄとを備えている。
【００３６】
封印部材３１の上面には、長穴状の係合穴３１ａが形成されており、封印金具１１の頭部１１ｂが嵌合可能になっている。また、図４に示すように、係合穴３１ａの下方には挿入穴３１ｂが設けられている。この挿入穴３１ｂの幅は封印金具１１の頭部１１ｂの外径と比較して小さく形成されているので、封印金具１１の頭部１１ｂは、挿入穴３１ｂを通り抜けることができない。よって、封印金具１１の頭部１１ｂは、係合穴３１ａ内に確実に係合される。
【００３７】
嵌合穴３１ｃは、挿入穴３１ｂの下方に連通して設けられており、封印部材２０の嵌合部２１ａが嵌合可能になっている。この嵌合穴３１ｃにはテーパが施されており、封印部材２１の嵌合部２１ａを容易に挿入して嵌合することができる。また、嵌合穴３１ｃの上壁面と封印部材２１の嵌合部２１ａの上端面との間には、所定高さを有する保持部Ｈが形成されており、封印金具１１の係止爪１１ｃが嵌合部２１ａの上端面により支持され保持されている。また、封印金具１１の係止爪１１ｃが保持部Ｈに保持されると、封印金具１１の頭部１１ｂは、係合穴３１ａ内に埋め込まれ、封印部材３１の上面から突出することがない。よって、頭部１１ｂを掴んで封印金具１１を抜き取る不正行為や頭部１１ｂが何かに引っ掛かり封印金具１１が抜け落ちてしまうことを防止することができる。その結果、予備用（未使用）の封印金具１１は、封印部材２１と封印部材３１とを連結することなく、封印部材３１内に抜き取り不可能な状態で保持することができる。
【００３８】
スカート部３１ｄは、封印部材３１の下端面であって、嵌合穴３１ｃの縁部分に周設されている。このスカート部３１ｄは、封印部材２１の嵌合溝２１ｄに嵌合可能に形成されており、その外周壁にはテーパが施されている。よって、スカート部３１ｄを嵌合溝２１ｄへ容易に嵌合させることができる。
【００３９】
取付部材３２は、封印ユニット１のユニット部材３０をボックス蓋体４２に取り付けるためのものであり、対向して配設された一対の板状体３２ａ，３２ｂと、その一対の板状体３２ａ，３２ｂを互いに連結する複数の連結部材３２ｃと、板状体３２ｂに配設された嵌合穴３２ｄとを備えている。各板状体３２ａ，３２ｂは複数の連結部材３２ｃにより連結されており、この複数の連結部材３２ｃは計４箇所に配設されている。この各連結部材３２ｃは、板状体３２ａの長手方向に略等間隔で配設された後述する複数の連結部材３３に対応して配設されている。
【００４０】
よって、取付部材３２のうち、連結部材３３が固着されている部分の厚みは大きく形成され、その強度が強化されている。従って、連結部材３３を切断して封印部材３１を除去する場合、取付部材３２の板状体３２ａに損傷を与えることがない。また、取付部材３２における一対の板状体３２ａ，３２ｂの間には所定幅の間隙Ｗ２が形成されており、この一対の板状体３２ａ，３２ｂの間に形成された間隙Ｗ２は、ボックス蓋体４２の側壁４２ａの板厚より大きく形成されている。
【００４１】
図６に示すように、ボックス蓋体４２の側壁４２ａには、取付部材３２の各連結部材３２ｃに対応した略矩形状の係合溝４２ｂが略等間隔で計４箇所に形成されており、この各係合溝４２ｂは、ボックス本体４１に形成された各係合溝４１ｂに対向して側壁４２ａに形成されている。この係合溝４２ｂには、取付部材３２の各連結部材３２ｃをそれぞれ係合させることができる。各係合溝４２ｂに各連結部材３２ｃを係合すると、ボックス蓋体４２の側壁４２ａは、ユニット部材３０の取付部材３２における板状体３２ａ，３２ｂの間に挟み込まれ、図２に示すように、ユニット部材３０がボックス蓋体４２に取り付けられる。その結果、板状体３２ａ，３２ｂの間に挟み込まれた側壁４２ａ部分の剛性を向上させることができるとともに、ボックス蓋体４２の側壁４２ａに取り付けられたユニット部材３０を外れ難くすることができる。
【００４２】
また、取付部材３２の長手方向の両端部分には、一対の取付孔３２ｅが板状体３２ａ，３２ｂのそれぞれを貫通して穿設ている（図３および図４参照）。ボックス蓋体４２の側壁４２ａには、この取付部材３２の一対の取付孔３２ｅに対応して、一対の係合穴４２ｃが穿設されている（図６参照）。よって、ユニット部材３０の板状体３２ａ，３２ｂの間にボックス蓋体４２の側壁４２ａを挟み込みつつ、取付部材３２をボックス蓋体４２の側壁４２ａに「かしめ」またはネジ止めにより固定することができる（図２および図３参照）。
【００４３】
図４に示すように、取付部材３２の板状体３２ｂには、略矩形状の係止穴３２ｆが穿設されている。この係止穴３２ｆには、ボックス蓋体４２の側壁４２ａ内側面に突設された係止爪４２ｅが係止されており、ユニット部材３０をボックス蓋体４２の側壁４２ａに「仮止め」することができる。よって、ユニット部材３０はボックス蓋体４２に「仮止め」されているので、「かしめ」またはネジ止めによるユニット部材３０の固定作業を容易に行うことができる。
【００４４】
尚、ボックス本体４１とユニット２０およびボックス蓋体４２とユニット３０は、それぞれ合成樹脂材料を使用して一体成形しても良い。
【００４５】
嵌合穴３２ｄは、ユニット部材２０の補強部材２２ｄを嵌合しつつ、封印ユニット１が配設された基板ボックス４０の強度を補強するためのものである。この嵌合穴３２ｄは、ユニット部材２０の補強部材２２ｄが嵌合可能に穿設された上面視略矩形状の貫通穴であり（図３参照）、取付部材３２の板状体３２ｂにおける上部側面に突設されている（図４中右側）。この嵌合穴３２ｄに補強部材２２ｄを嵌合することにより、封印ユニット１、及び、その封印ユニット１が配設された基板ボックス４０の剛性を大きくすることができる。
【００４６】
図３に示すように、連結部材３３は、各封印部材３１と取付部材３２とをそれぞれ連結するためのものである。この連結部材３３は、取付部材３２の板状体３２ａの一側面に略等間隔で計４個配設されており、各連結部材３３には封印部材３１がそれぞれ固着されている。よって、計４個の各封印部材３１が略等間隔で隣接して取付部材３２に連結され、ユニット部材３０が一体に形成されている。また、封印部材３１および取付部材３２は連結部材３３により連結されるので、封印部材３１と取付部材３２との間には、ニッパ等の工具の刃先が入り込むための間隔が形成される。よって、封印部材３１を切断して除去する場合、ニッパ等の工具を用いて連結部材３３を容易に切断することができる。
【００４７】
連結部材３４は、隣り合う各封印部材３１を連結して、ユニット部材３０の強度を補強するためのものであり、略薄板状に形成されている。各連結部材３４は、各封印部材３１の外周面のうち連結部材３３の固着側の反対部分に固着されており、各封印部材３１のそれぞれを互いに連結してユニット部材３０の強度を補強している。この各連結部材３４の右端部分には、切り欠き３４ａが設けられており、かかる部分の剛性を低下させてある。よって、ニッパ等の工具を用いて連結部材３４を切断する場合、切り欠き３４ａが設けられた部分を切断することにより、容易に連結部材３４を切断することができる。また、切り欠き３４ａは、連結部材３４のうち、先に使用される封印部材３１側の端部分に設けられているので、連結部材３４を切断する場合、未使用の封印部材３１の損傷を防止することができる。
【００４８】
この各連結部材３４の上面には、「１」から「４」までの番号表示Ｋがそれぞれ表示されている。この各番号表示Ｋは、ユニット部材３０の成形と同時に型枠を用いて形成されており、各一対の封印部材２１，３１が封印される順番を表している。よって、各封印部材２１とそれに対向する各封印部材３１とを「１」から「４」の各番号表示Ｋの順に封印金具１１を用いて封印するとともに、「１」から「４」の番号表示Ｋの順に封印された一対の封印部材２１，３１をニッパ等の工具を用いて切断して除去することができる。
【００４９】
尚、この各番号表示Ｋを付す方法としては、「１」から「４」の数字を印刷した合成樹脂等のシート等を各封印部材２１に貼付等したりしても良い。
【００５０】
次に、上述した基板ボックス４０に取り付けられた封印ユニット１の使用方法について説明する。まず、ユニット部材２０の各連結部材２２ｃをボックス本体４１の各係合溝４１ｂに対応させて係合し、取付部材２２の一対の板状体２２ａ，２２ｂの間にボックス本体４１の側壁４１ａを挟み込むようにして、取付部材２２を側壁４１ａに填め込む。その後、取付部材２２の板状体２２ｂに設けられた係止穴２２ｆがボックス本体４１の係止爪４１ｅにより係止されるまで填め込み、ユニット部材２０をボックス本体４１に「仮止め」して、取付孔２２ｅおよび係合穴４１ｃを「かしめ」またはネジ止めにより固定する。
【００５１】
また、同様に、ボックス蓋体４２の各係合溝４２ｂにユニット部材３０の各連結部材３２ｃを対応させて係合し、取付部材３２の一対の板状体３２ａ，３２ｂの間にボックス蓋体４２の側壁４２ａを挟み込むようにして、取付部材３２を側壁４２ａに填め込む。その後、取付部材３２の板状体３２ｂに設けられた係止穴３２ｆがボックス蓋体４２の係止爪４２ｅにより係止されるまで填め込み、ユニット部材３０をボックス蓋体４２に「仮止め」して、取付孔３２ｅおよび係合穴４２ｃを「かしめ」またはネジ止めにより固定する。
【００５２】
このようにして、ユニット部材２０，３０をそれぞれ２個ずつボックス本体４１およびボックス蓋体４２に固定する（図１参照）。
【００５３】
その後、ボックス本体４１内に制御回路基板を配設して固定した後、ユニット部材２０，３０の各封印部材２１，３１を対向させて、ボックス本体４１にボックス蓋体４２を被せ、各封印部材２１の嵌合部２１ａを各封印部材３１の嵌合穴３１ｃに嵌合するとともに、各封印部材３１のスカート部３１ｄを各封印部材２１の嵌合溝２１ｄに嵌合する。そして、計４個の各封印部材３１の係合穴３１ａおよび挿入穴３１ｂ内に封印金具１１をそれぞれ挿入して、その頭部１１ｂを押下し封印金具１１を封印部材３１内に押し込む。
【００５４】
封印金具１１が押し込まれると、封印金具１１の係止爪１１ｃは、傾斜部分Ｔを介して板部１１ａ側へ徐々に弾性変形する。更に、封印金具１１を挿入し続けると、係止爪１１ｃが弾性的に復元し、その係止爪１１ｃは、嵌合穴３１ｃ内に係止されるとともに保持部Ｈに保持される。よって、各封印金具１１を封印部材３１内に抜き取り不可能な状態で保持することができるとともに、封印金具１１の紛失を防止することができる（図４参照）。
【００５５】
各封印部材３１内に各封印金具１１を保持した後、各封印ユニット１の封印部材３１うち、「１」の番号表示Ｋの付された連結部材２４の左端部が固着されているもの（図２中右側）に挿入された封印金具１１の頭部１１ｂを押下して、その封印金具１１を更に押し込む。封印金具１１が押し込まれると、封印金具１１の係止爪１１ｃは、傾斜部分Ｔおよび挿入穴２１ｂの面取り部Ｃを介して板部１１ａ側へ徐々に弾性変形する。封印金具１１を挿入し続けると、係止爪１１ｃが弾性的に復元して、係止爪１１ｃが封印部材２１の係止孔２１ｃ内に係止され、封印金具１１が封印部材２１内にて抜き取り不可能な状態で保持される。一方、封印金具１１の頭部１１ｂは、封印部材３１の係合穴３１ａ内に係合される。
【００５６】
その結果、封印金具１１は、封印部材２１内から抜き取り不可能となり、更に、封印金具１１の頭部１１ｂは、封印部材３１の係合穴３１ａに係合されているので、基板ボックス４０のボックス本体４１とボックス蓋体４２とが開封不可能に連結され、基板ボックス４０を確実に封印することができる（図５参照）。よって、基板ボックス４０に被包された制御回路基板上の制御用ＲＯＭ等を不適法に取り外して、パチンコ機５０の遊技内容を変更する不正行為を防止することができる。また、封印部材２１，３１を破壊、切断等すれば基板ボックス４０を開封することができるが、その場合には、基板ボックス４０が開封された痕跡を確実に残すことができる。即ち、不正行為が行われたか否かを即座に発見することができる。
【００５７】
次に、この封印状態にある基板ボックス４０から制御回路基板上の制御用ＲＯＭを取り外して検査する方法について説明する。封印金具１１の頭部１１ｂは封印部材３１の係合穴３１ａに係合され、封印金具１１の係止爪１１ｃは封印部材２１の係止孔２１ｃ内に抜き取り不可能な状態で保持されているので、基板ボックス４０内の制御回路基板を適法に検査する場合、ボックス本体４１からボックス蓋体４２を外して、基板ボックス４０を開封することができない。かかる場合、封印金具１１により封印されている封印部材２１，３１と取付部材２２，３２とを連結している連結部材２３，３３をニッパ等の工具を用いて切断するとともに、封印されている封印部材２１，３１と他の封印部材２１，３１とを連結する連結部材２４，３４の切り欠き２４ａ，３４ａの部分を切断する。
【００５８】
このようにして、連結部材２３，２４，３３，３４を切断することにより、基板ボックス４０の封印が解除され、ボックス本体４１からボックス蓋体４２を外すことができる。そして、制御用ＲＯＭ等の検査終了後、基板管理番号シール６１の検査履歴６１ｄに所定の事項を記載して、ボックス本体４１にボックス蓋体４２を被せて、未使用の一対の封印部材２１，３１に保持されている封印金具１１を押し込むことにより、かかる封印部材２１，３１を連結して、基板ボックス４０を再度封印する。
【００５９】
尚、本実施例では、各封印ユニット１に、封印部材２１，３１が各４個ずつ計４組設けられているので、最大３回まで基板ボックス４０の封印を解除して開封することができる。また、止むを得ず全ての封印部材２１，３１を切断して排除した場合には、ユニット部材２０，３０をボックス本体４１およびボックス蓋体４２に固定する「かしめ」またはねじ止めを取り付り外し、新たなに封印ユニット１のユニット部材２０，３０をボックス本体４１およびボックス蓋体４２に取り付ければよい。
【００６０】
以上、実施例に基づき本発明を説明したが、本発明は上記実施例に何ら限定されるものではなく、本発明の趣旨を逸脱しない範囲内で種々の改良変形が可能であることは容易に推察できるものである。
【００６１】
例えば、本実施例では、封印部材２１，３１を連結し基板ボックス４０を封印するための部材として、封印金具１１を使用した。しかし、かかる部材は、これに限られるものではなく、封印ねじ等を使用しても良い。
【００６２】
ボックスベースとボックスカバーとを備えた遊技機用基板ボックス内に回路基板を被包して封印するための遊技機用基板ボックス封印具において、前記ボックスベースおよびボックスカバーの一方に配設される第１封印部材と、前記ボックスベースおよびボックスカバーの他方に配設される第２封印部材と、前記第１封印部材に設けられるストッパ部材と、そのストッパ部材に係止される係止部及び前記第２封印部材に係合される係合部を有する連結封印部材とを備え、その連結封印部材の係合部を前記第２封印部材に係合させるとともに、前記第１封印部材内に設けられたストッパ部材によって前記連結封印部材の係止部を係止して、前記第１封印部材および第２封印部材を連結し前記遊技機用基板ボックスを封印するものであり、前記第１封印部材および第２封印部材の少なくとも一方には、前記第１封印部材および第２封印部材が非連結状態の場合に、前記連結封印部材を保持するための保持部を備えている遊技機用基板ボックス封印具。
【００６３】
この遊技機用基板ボックス封印具によれば、回路基板をボックスベースまたはボックスカバー内に収納し、ボックスベースおよびボックスカバーの一方に配設された第１封印部材と、ボックスベースおよびボックスカバーの他方に配設された第２封印部材とを合致させることにより、回路基板が遊技機用基板ボックス内に被包される。第１封印部材および第２封印部材の少なくとも一方に設けられた保持部には、連結封印部材が保持されているので、回路基板を被包した後、この連結封印部材の係合部を第２封印部材に係合させるとともに、その係止部を第１封印部材内のストッパ部材に係止することにより、第１封印部材および第２封印部材が連結され、遊技機用基板ボックス内に被包された回路基板が確実に封印される。
【００６４】
前記第１封印部材および第２封印部材を備えた遊技機用基板ボックス封印具が複数個隣接して配置され、その複数の遊技機用基板ボックス封印具の間隙をそれぞれ連結する連結部材を備えるとともに、その連結部材の一部分の剛性がその他部分の剛性と比較して小さくされている遊技機用基板ボックス封印具ユニット。
【００６５】
前記第１封印部材が複数個隣接して固着され前記ボックスベースおよび（または）ボックスカバーの一方に配設される第１配設部材と、前記第１封印部材に対向する第２封印部材が複数個隣接して固着され前記ボックスベースおよび（または）ボックスカバーの他方に配設される第２配設部材と、前記第１配設部材および（または）第２配設部材の少なくとも一方を保持するするとともに、前記ボックスカバーに設けられたボックス係止部とを備えた遊技機用基板ボックス封印具ユニット。
【図面の簡単な説明】
【００６６】
【図１】本発明の一実施例である封印ユニットを有する基板ボックスの配設されたパチンコ機の裏面図である。
【図２】封印ユニットが配設された基板ボックスが開封された状態を示す斜視図である
【図３】封印ユニットを構成する各部材の分解斜視図である。
【図４】保持部に封印金具が保持されている状態における封印ユニットの部分断面図である。
【図５】基板ボックスを封印した状態における封印ユニットの部分断面図である。
【図６】基板ボックスの分解斜視図である。
【図７】基板管理番号シールの平面図である。
【符号の説明】
【００６７】
１                              封印ユニット（遊技機用基板ボックス封印具）
１１                            封印金具（連結封印部材）
１１ｂ                          頭部（係合部）
１１ｃ                          係止爪（係止部）
２１ｃ                          係止孔（ストッパ部材）
２２ｆ，３２ｆ                  係止穴
２０，３０                      ユニット部材
２１，３１                      封印部材（第１封印部材、第２封印部材）３１ａ                          係合穴（保持部の一部）
２４，３４                      連結部材
２４ａ，２４ｂ                  切り欠き
４０                            基板ボックス（遊技機用基板ボックス）
４１                            ボックス本体（ボックスベース）
４１ｅ，４２ｅ                  係止爪
４２                            ボックス蓋体（ボックスカバー）
Ｈ                              保持部（保持部の一部）  
【図１】
2006075629.tif 000003
【図２】
2006075629.tif 000004
【図３】
2006075629.tif 000005
【図４】
2006075629.tif 000006
【図５】
2006075629.tif 000007
【図６】
2006075629.tif 000008
【図７】
2006075629.tif 000009